(57)【特許請求の範囲】
【請求項１】
被測定物の水平度や垂直度などを測定する水準器であって、水準器本体の被測定物と当接する底面に凹溝を設け、この凹溝の左右両側の溝縁部に設けた嵌入部に磁石を嵌入固定して成る磁石部を設け、この磁石部は、凹溝の長さ方向に沿った細長形状に構成され、且つ、磁石部を構成する磁石の側縁角部が前記凹溝の溝縁部に略合致するように構成されていることを特徴とする水準器。
【請求項２】
被測定物の水平度や垂直度などを測定する水準器であって、水準器本体の被測定物と当接する底面に凹溝を設け、この凹溝の左右両側の溝縁部に設けた嵌入部に磁石を嵌入固定して成る磁石部を設け、この磁石部は、凹溝の長さ方向に沿った細長形状に構成され、且つ、磁石部を構成する磁石の側縁角部が前記凹溝の溝縁部の角部よりやや凹溝内側へ突出するように構成されていることを特徴とする水準器。
【請求項３】
前記凹溝がＶ溝であることを特徴とする請求項１，２のいずれか１項に記載の水準器。
【発明の詳細な説明】
【０００１】
【発明の属する技術分野】
本発明は、磁石付きの水準器に関するものである。
【０００２】
【従来の技術及び発明が解決しようとする課題】
水準器本体の平面状の底面を板材のような被測定物の平面に当接して被測定物の水平度や垂直度や傾斜度などを測定する水準器には、被測定物の平面と当接する前記底面に磁石部が設けられているものがあり、この磁石部の吸着作用により、水準器本体を被測定物に揺動不能に固定されるように構成されている。
【０００３】
また、水準器には、水準器本体の底面に凹溝が設けられているものがあり、管材のような被測定物の凸状形状を凹溝に挿入することで、凹溝の左右両側の溝縁部を被測定物に２本線で当接させ、水準器本体を被測定物に手で押しつけて揺動不能に固定できるように構成されている。
【０００４】
しかし、水準器本体を被測定物に揺動不能とするために手で押しつけ続けるのは厄介である。
【０００５】
本発明は、上記問題点を解決するもので、平面にも凸状形状にも磁石部が当接でき、この磁石部による吸着作用により、板材のような被測定物にも管材のような被測定物にも水準器本体を揺動不能に固定できる実用性，作業性に秀れた水準器を提供することを目的としている。
【０００６】
【課題を解決するための手段】
添付図面を参照して本発明の要旨を説明する。
【０００７】
被測定物ａの水平度や垂直度などを測定する水準器であって、水準器本体１の被測定物ａと当接する底面２に凹溝３を設け、この凹溝３の左右両側の溝縁部４に設けた嵌入部１０に磁石１１を嵌入固定して成る磁石部５を設け、この磁石部５は、凹溝３の長さ方向に沿った細長形状に構成され、且つ、磁石部５を構成する磁石１１の側縁角部１２が前記凹溝３の溝縁部４に略合致するように構成されていることを特徴とする水準器に係るものである。
【０００８】
また、被測定物ａの水平度や垂直度などを測定する水準器であって、水準器本体１の被測定物ａと当接する底面２に凹溝３を設け、この凹溝３の左右両側の溝縁部４に設けた嵌入部１０に磁石１１を嵌入固定して成る磁石部５を設け、この磁石部５は、凹溝３の長さ方向に沿った細長形状に構成され、且つ、磁石部５を構成する磁石１１の側縁角部１２が前記凹溝３の溝縁部４の角部６よりやや凹溝３内側へ突出するように構成されていることを特徴とする水準器に係るものである。
【０００９】
また、前記凹溝３がＶ溝であることを特徴とする請求項１，２のいずれか１項に記載の水準器に係るものである。
【００１０】
【発明の実施の形態】
好適と考える本発明の実施の形態（発明をどのように実施するか）を、図面に基づいてその作用効果を示して説明する。
【００１１】
磁石部５は凹溝３の左右両側の溝縁部４に設けられているから、例えば、水準器本体１の底面２を管材のような円弧状の被測定物ａに当接させた場合、水準器本体１の凹溝３に被測定物ａの凸状形状が挿入され、この凹溝３の左右両側の溝縁部４が被測定物ａに２本線で当接し、必然的に前記溝縁部４に設けられた磁石部５が被測定物ａに当接し、この磁石部５の吸着作用により、水準器本体１が被測定物ａに揺動不能に固定されることになる。
【００１２】
尚、溝縁部４及び磁石部５と管材のような円弧状の被測定物ａとの当接は線であるから、溝縁部４及び磁石部５は、径寸法の大きな円弧状の被測定物ａにも径寸法の小さな円弧状の被測定物ａにも当接することができる。
【００１３】
また、凹溝３の左右両側の溝縁部４は水準器本体１の底面２と面一となる位置でもあるから、水準器本体１の底面２を板材のような被測定物ａに当接させた場合、必然的に前記溝縁部４に設けられた磁石部５が被測定物ａに当接し、この磁石部５の吸着作用により、水準器本体１が被測定物ａに揺動不能に固定されることになる。
【００１４】
【実施例】
本発明の具体的な実施例について図面に基づいて説明する。
【００１５】
水準器本体１には水平度や垂直度や傾斜度などを測定する目盛り付きの測定部７が設けられており、この測定部７には液体と気泡とが詰入されている。尚、本実施例では水準器本体１に測定部７を２箇所設けており、この測定部７を夫々の水平基準線が互いに直角となる位置関係に設けて被測定物ａの水平度及び垂直度を測定できるように構成している。
【００１６】
また、水準器本体１には被測定物ａと当接する平面状の底面２が設けられており、この平面状の底面２は前記２箇所の測定部７の水平基準線と平行面若しくは垂直面となるように構成されている。
【００１７】
底面２には、この底面２の中央部を横断するように凹溝３が設けられており、この凹溝３の左右両側の溝縁部４は前記２箇所の測定部７の水平基準線と平行線若しくは垂直線となる平行２本線に構成されている。
【００１８】
また、本実施例では、凹溝３はＶ溝形状に設けられており、凹溝３の左右両側の磁石部５より巾狭（＝径小）の円弧状の被測定物（図示せず）に水準器本体１のＶ溝の左右傾斜壁１３を当接できるように構成されている。
【００１９】
凹溝３の左右両側の溝縁部４には磁石部５が設けられている。
【００２０】
この磁石部５は、凹溝３の左右両側の溝縁部４に設けられた嵌入部１０に永久磁石板１１を嵌入固定して構成されている。従って、水準器本体１の底面２と永久磁石板１１とが面一となるように磁石部５を設けることができる。
【００２１】
また、この磁石部５は、凹溝３の長さ方向に沿った細長形状に構成されている。従って、磁石部５と被測定物ａとの当接線が長くなって磁石部５による吸着作用箇所が長くなり、水準器本体１を被測定物ａにより一層確実に揺動不能に固定できることになる。
【００２２】
また、磁石部５の側縁角部１２（永久磁石板１１の側縁角部）は溝縁部４と略合致するように構成されており、水準器本体１の底面２を板材のような被測定物ａに当接したときにも管材のような円弧状の被測定物ａに当接したときにも溝縁部４及び磁石部５が被測定物ａに当接し易いことになる。尚、図示した水準器本体１は凹溝３の左右両側の溝縁部４に左右一対の磁石部５を１カ所設けたものであるが、凹溝３の全長が長い場合（即ち、水準器本体１が長い場合）には凹溝３の長さ方向に２カ所以上に設けて磁石部５の吸着作用箇所を増やすと良い。
【００２３】
また、本実施例では、磁石部５の側縁角部１２（永久磁石板１１の側縁角部）が前記凹溝３の溝縁部４の角部６より若干凹溝３内側へ突出するように構成している。従って、磁石部５（永久磁石板１１）が板材のような被測定物ａ（図３参照）にも管材のような径寸法の大きな円弧状の被測定物ａにも（図４参照）、径寸法の小さな円弧状の被測定物ａにも（図５参照）確実に左右一対で当接し、磁石部５の吸着作用が良好に発揮されることになる。また、この磁石部５の角部１２を研磨などにより削ることで、磁石部５の角部１２と凹溝３の溝縁部４の角部６とを完全に合致するように構成することもできる。
【００２４】
尚、符号１４は水準器本体１を持ち運んだり保管したりする際に使用するリング体などを挿入する引掛部である。
【００２５】
本実施例は上述のように構成したから、水準器本体１の底面２を管材のような円弧状の被測定物ａに当接させた場合、水準器本体１の凹溝３に被測定物ａの凸状形状が挿入され、この凹溝３の左右両側の溝縁部４が被測定物ａに２本線で当接し、必然的に前記溝縁部４に設けられた磁石部５が被測定物ａに当接し、この磁石部５の吸着作用により、水準器本体１が被測定物ａに揺動不能に固定されることになり、また、凹溝３の左右両側の溝縁部４は水準器本体１の底面２と面一となる位置でもあるから、水準器本体１の底面２を板材のような被測定物ａに当接させた場合、必然的に前記溝縁部４に設けられた磁石部５が被測定物ａに当接し、この磁石部５の吸着作用により、水準器本体１が被測定物ａに揺動不能に固定されることになり、板材のような被測定物ａにも管材のような被測定物ａにも水準器本体１を揺動不能に固定することができる実用性，作業性に秀れた水準器となる。
【００２６】
また、磁石部５の側縁角部１２が管材のような円弧状の被測定物ａと線で当接するから、磁石部５が径寸法の大きな円弧状の被測定物ａにも径寸法の小さな円弧状の被測定物ａにも当接して磁石部５の吸着作用により確実に固定される実用性，作業性に秀れた水準器となる。
【００２７】
【発明の効果】
本発明は上述のように構成したから、水準器本体の被測定物と当接する底面に凹溝と磁石部とを最適な位置関係で配設する簡単な構成により、板材のような被測定物とも管材のような円弧状の被測定物とも磁石部が当接し、この磁石部による吸着作用で水準器本体を被測定物に確実に揺動不能に固定して水平度などを測定することができる実用性，作業性に秀れた水準器となる。
【００２８】
また、本発明は、磁石部の側縁角部が凹溝の溝縁部に略合致するように構成されているから、管材のような円弧状の被測定物に水準器本体の底面を当接する場合に磁石部も凹溝の溝縁部も確実に被測定物に当接することになり、より一層実用性に秀れた水準器となる。
【００２９】
また、本発明は、磁石部が前記凹溝の長さ方向に沿った細長形状に構成されているから、磁石部と被測定物との当接線が長くなって、必然的に磁石部による吸着作用箇所が長くなり、水準器本体を被測定物により一層確実に揺動不能に固定できることになる極めて実用性に秀れた水準器となる。
【００３０】
また、請求項２記載の発明においては、磁石部の側縁角部が凹溝の溝縁部の角部よりやや凹溝内側へ突出するように構成されているから、管材のような円弧状の被測定物に水準器本体の底面を当接する場合に、磁石部が設計寸法誤差などに関係なく極めて確実に被測定物に当接することになり、より一層実用性に秀れた水準器となる。
【００３１】
また、請求項３記載の発明においては、凹溝がＶ溝に構成されているから、凹溝の左右両側の溝縁部間より径寸法の小さな円弧状の被測定物にもＶ溝の傾斜壁が当接して水準器本体を揺動不能に固定できることになるより一層実用性に秀れた水準器となる。
【図面の簡単な説明】
【図１】本実施例の説明斜視図である。
【図２】本実施例の説明正面図である。
【図３】本実施例の水準器本体１を板材などの被測定物ａに当接する場合を示す説明側断面図である。
【図４】本実施例の水準器本体１を管材などの径寸法の大きな円弧状の被測定物ａに当接する場合を示す説明側断面図である。
【図５】本実施例の水準器本体１を管材などの径寸法の小さな円弧状の被測定物ａに当接する場合を示す説明側断面図である。
【符号の説明】
ａ  被測定物
１  水準器本体
２  当接部
３  凹溝
４  溝縁部
５  磁石部
６  角部
１０ 嵌入部
１１ 磁石
１２  側縁角部
【図１】
0003571894.tif 000002
【図２】
0003571894.tif 000003
【図３】
0003571894.tif 000004
【図４】
0003571894.tif 000005
【図５】
0003571894.tif 000006